(57)【要約】【課題】液晶パネルと光源との間に、単位レンズが規則的に配置されたレンズシートを配置した場合であっても、モアレの発生を阻止し良好な画質を実現する表示装置を提供する。【解決手段】光学シート１０は、入射面１１から入射した光Ｈを、出射面１２側に散乱する光散乱層１３と、光散乱層１３によって散乱された光を光散乱層１３側に反射する複数の光反射部１４とを備える。更に、光散乱層１３によって散乱された光をレンチキュラーシート１７に透過する空気層からなる複数の光透過部１５を備える。そして、単位凸シリンドリカルレンズ１６のＹ方向に沿った配置ピッチＰｙと、液晶パネル３０の表示素子３０ａのＹ方向に沿った配置ピッチＧｙとには、ｎが３以上の整数であって、Ｐｙ／Ｇｙ＝１／（ｎ＋０．５）を除いたＰｙ／Ｇｙ≦１／（ｎ＋０．２１３）の関係が成立する。【選択図】      図１
2008197291.tif 000002
【特許請求の範囲】
【請求項１】
光源と、表示画像の表示パターンを画素単位で規定する複数の表示素子をＸ方向及びＹ方向に沿ってそれぞれ規則的に配置してなる液晶パネルと、前記光源からの光を前記液晶パネルに供給する光学シートとを備えてなる表示装置であって、
前記光学シートは、
入射面側から入射した前記光源からの光を、非入射面側である出射面側に散乱する光散乱層と、
前記光散乱層の出射面側に一方の面が設けられ、前記光散乱層によって散乱された光を前記光散乱層側に反射する複数の光反射部と、
隣接する２つの前記光反射部の間に設けられ、前記光散乱層によって散乱された光を非光散乱層側に透過する複数の光透過部と、
複数の単位凸シリンドリカルレンズが前記液晶パネル側に前記Ｙ方向に沿って規則的に並列配置されてなるレンズ部と、前記レンズ部と反対側の面であって、前記光透過部によって透過される光が入射する非レンズ面とを有するレンチキュラーシートとを備え、
前記複数の光透過部のおのおのは、前記複数の単位凸シリンドリカルレンズのおのおのと１：１に対応しており、対応する単位凸シリンドリカルレンズの頂点から前記非レンズ面に対する垂線を含むように設けられ、前記複数の光反射部のおのおのは、前記非レンズ面に対して凸部を形成するように、かつ前記各単位凸シリンドリカルレンズの長手方向である前記Ｘ方向に沿って配置され、前記非レンズ面から前記レンチキュラーシートに入射した光を、前記各単位凸シリンドリカルレンズによって制御して前記液晶パネルに供給するとともに、前記単位凸シリンドリカルレンズの前記Ｙ方向に沿った配置ピッチＰｙと、前記表示素子の前記Ｙ方向に沿った配置ピッチＧｙとを、ｎが３以上の整数であって、Ｐｙ／Ｇｙ＝１／（ｎ＋０．５）を除いたＰｙ／Ｇｙ≦１／（ｎ＋０．２１３）の関係が成立するようにしたことを特徴とする表示装置。
【発明の詳細な説明】
【技術分野】
【０００１】
本発明は、画素単位での透過／非透過あるいは透明状態／散乱状態に応じて表示パターンが規定される表示素子が配置された液晶パネルを、背面側から照明するバックライトユニットを備えた表示装置に関する。
【背景技術】
【０００２】
近年、ＴＦＴやＳＴＮからなる液晶パネルを使用した液晶タイプの表示装置は、主としてＯＡ分野のカラーノートＰＣ（パーソナルコンピュータ）を中心に商品化されつつある。
【０００３】
この種の表示装置においては、従来から、液晶パネルの背面側（反観察者側）に光源を配置し、この光源からの光で液晶パネルを照明する方式、いわゆる、バックライト方式が採用されている。
【０００４】
この種のバックライト方式に採用されるバックライトユニットとしては、大別して冷陰極管（ＣＣＦＴ）等の光源ランプを、光透過性に優れたアクリル樹脂等からなる平板状の導光板の側端部に沿って取り付け、光源ランプからの光を導光板内で多重反射させる「導光板ライトガイド方式」（所謂、エッジライト方式）と、導光板を用いない「直下型方式」とがある。
【０００５】
導光板ライトガイド方式のバックライトユニットが搭載された液晶表示装置としては、例えば図８に示すような構成のものが一般的に知られている。
【０００６】
これは、上部に偏光板７１，７３に挟まれた液晶パネル７２が設けられ、その下面側に、略長方形板状のＰＭＭＡ（ポリメチルメタクリレート）やアクリル等の透明な基材からなる導光板７９が配設されており、該導光板の上面（光射出面）に拡散フィルム（拡散層）７８が設けられている。
【０００７】
さらに、この導光板７９の下面に、導光板７９に導入された光を効率良く上記液晶パネル７２方向に均一となるように散乱して反射させるための散乱反射パターン部が印刷などによって設けられる（図示せず）と共に、散乱反射パターン部下方に反射フィルム（反射層）７７が設けられている。
【０００８】
また、上記導光板７９には、側端部に光源ランプ７６が取り付けらており、さらに、光源ランプ７６の光を効率良く導光板７９中に入射させるべく、光源ランプ７６の背面側を覆うようにして高反射率のランプリフレクター８１が設けられている。上記散乱反射パターン部は、白色である二酸化チタン（ＴｉＯ２）粉末を透明な接着剤等の溶液に混合した混合物を、所定のパターン、例えばドットパターンにて印刷し乾燥、形成したものであり、導光板７９内に入射した光に指向性を付与し、光射出面側へと導くようになっており、高輝度化を図るための一方法である。
【０００９】
さらに、最近では、光利用効率をアップして高輝度化を図るべく、図９に示すように、拡散フィルム７８と液晶パネル７２との間に、光集光機能を備えたプリズムフィルム（プリズム層）７４，７５を設けることが提案されている。このプリズムフィルム７４，７５は、導光板７９の光射出面から射出され、拡散フィルム７８で拡散された光を、高効率で液晶パネル７２の有効表示エリアに集光させるものである。
【００１０】
しかしながら、図８，図９に例示したこれらの方法では、視野範囲の制御は、拡散フィルム７８の拡散性のみに委ねられており、その制御は難しく、拡散方向の中心部が明るく、周辺部に行くほど暗くなる特性は避けられない。そのため、液晶画面を横から見た時の輝度の低下が大きく、光の利用効率の低下を招いていた。
【００１１】
さらに、図９に例示したプリズムフィルムを用いる方法では、プリズムフィルムの枚数が２枚必要であるため、フィルムの吸収による光量の低下が大きいだけでなく、部材数の増加によりコストが上昇する原因にもなっていた。
【００１２】
一方、直下型方式は、導光板の利用が困難な大型の液晶ＴＶなどの表示装置に用いられている。
【００１３】
直下型方式の液晶表示装置としては、図１０に例示する構成が一般的に知られている。これにおいては、上部に偏光板７１，７３に挟まれた液晶パネル７２が設けられ、その下面側に、蛍光管等からなる光源５１の列が配設されており、該光源５１の上面（光射出面）に例えば拡散フィルム（拡散層）８２のような光学シートが設けられている。
【００１４】
さらに、最近では、光利用効率をアップして高輝度化を図るべく、図９の場合と同様に拡散フィルム８２と液晶パネル７２との間に、光集光機能を備えたプリズムフィルム（プリズム層）を設けることが提案されている。
【００１５】
このプリズムフィルムは、光源５１から射出され、拡散フィルム８２のような光学シートで拡散された光を、高効率で液晶パネル７２の有効表示エリアに集光させるものである。光源５１からの光を効率良く照明光として利用するために、光源５１の背面には、リフレクター５２が配置されている。
【００１６】
しかしながら、図１０に例示する構成でも、視野範囲の制御は、拡散フィルム８２の拡散性のみに委ねられており、その制御は難しく、拡散方向の中心部が明るく、周辺部に行くほど暗くなる特性は避けられない。そのため、液晶画面を横から見た時の輝度の低下が大きく、光の利用効率の低下を招いていた。さらに、プリズムフィルムを用いる方法では、プリズムフィルムの枚数が２枚必要であるため、フィルムの吸収による光量の低下が大きいだけでなく、部材数の増加によりコストが上昇する原因にもなっていた。
【００１７】
また、光源５１間の間隔が広すぎると、画面上に輝度ムラが生じやすく、光源５１の数を減らせず、消費電力の増加およびコストの増加を招く原因となっていた。
【００１８】
ところで、このような液晶表示装置では、軽量、低消費電力、高輝度であることが市場ニーズとして強く要請されており、それに伴い、液晶表示装置に搭載されるバックライトユニットも、軽量、低消費電力、高輝度であることが要求されている。
【００１９】
特に、最近、目覚ましい発展をみるカラー液晶タイプの表示装置においては、液晶パネルのパネル透過率がモノクロ対応の液晶パネルに比べ格段に低く、そのため、バックライトユニットの輝度向上を図ることが、装置自体の低消費電力を得るために必須となっている。
【００２０】
しかしながら、上記したような従来の構成では、液晶タイプの表示装置のさらなる薄型化が図られる今日、高輝度、低消費電力の要請に充分に応えられているとは言い難く、ユーザからは、低価格、高輝度、高表示品位で、かつ低消費電力の液晶タイプの表示装置を実現できるバックライトユニットの開発が待ち望まれている。
【００２１】
上記の状況を鑑みて本出願人は、例えば、特許文献１のように、液晶パネルと、この液晶パネルに背面側から光を照明する光源手段とを備え、この光源手段に、光源からの光を液晶パネルへと導くレンズ層が設けられ、該レンズ層焦点面近傍に開口をもつ遮光部を有することを特徴とする液晶表示装置を提案している。
【００２２】
上記特許文献１には、同文献の図１〜図３に示されるように、液晶パネルとバックライトユニットの間に、遮光部を有するレンズシートを配置してなる構成が開示されているが、同図１〜図３の何れも、レンズシートは液晶パネル側に設けられ、Ｘ方向及びＹ方向それぞれに対して等しいピッチで規則的に配置された複数の単位レンズを構成してなる凹凸形状を有している。
【００２３】
上記構成のレンズシートを介在させたことによる作用効果は、導光板から射出する光が有する拡散性を、開口に１対１に対応する単位レンズの作用により変調して、液晶パネル側に方向を揃えて射出させることが可能となる点にある。
【００２４】
加えて、特定箇所に開口を持つ遮光部を形成したことにより、液晶パネルの表示素子に入射する光量を選択的に多くすることが可能となり、バックライトの利用効率が向上することと、前記開口の形状を制御することで表示光の視域も制御することが可能となることである。
【特許文献１】特開２０００−２８４２６８号公報
【特許文献２】特許第３３８１５７０号公報
【特許文献３】特開２００６−１０６１９７号公報
【発明の開示】
【発明が解決しようとする課題】
【００２５】
このように、特許文献１に示すようなレンズシートによって液晶パネルを照明してなる表示装置により、液晶パネルの表示素子に入射する光量を選択的に多くすることが可能となるとともに、開口の形状を制御することで表示光の視域も制御することが可能となった。しかしながら、このような表示装置では、モアレが発生する恐れがある。
【００２６】
モアレは、周期性の重ね合わせに伴い、周期のズレに応じて発生する２つの空間周波数のうなり現象である。モアレそのものも周期を持ち、この周期は、元になる周期の組み合わせで決定される。特許文献１に示すようなレンズシートは、上述したように単位レンズがＸ方向及びＹ方向に沿って周期的に配置されている。また、液晶パネルも、同様にＸ方向及びＹ方向に沿って周期的に表示素子が配置されている。したがって、ある条件においては、このようなレンズシートにおける単位レンズの配置周期性と、液晶パネルにおける表示素子の配置周期性との重ね合わせによってモアレが生じてしまい、表示装置から表示される画像の品質が低下するという問題がある。
【００２７】
本発明はこのような事情に鑑みてなされたものであり、液晶パネルと光源との間に、単位レンズが規則的に配置されたレンズシートを配置してなる場合であっても、モアレの発生を阻止し、もって、良好な画質を実現することが可能な表示装置を提供することを目的とする。
【課題を解決するための手段】
【００２８】
上記の目的を達成するために、本発明では、以下のような手段を講じる。
【００２９】
すなわち、請求項１の発明は、光源と、表示画像の表示パターンを画素単位で規定する複数の表示素子をＸ方向及びＹ方向に沿ってそれぞれ規則的に配置してなる液晶パネルと、光源からの光を前記液晶パネルに供給する光学シートとを備えてなる表示装置である。ここで、光学シートは、入射面側から入射した光源からの光を、非入射面側である出射面側に散乱する光散乱層と、光散乱層の出射面側に一方の面が設けられ、光散乱層によって散乱された光を光散乱層側に反射する複数の光反射部と、隣接する２つの光反射部の間に設けられ、光散乱層によって散乱された光を非光散乱層側に透過する例えば空気層からなる複数の光透過部とを備えている。この光学シートは更に、複数の単位凸シリンドリカルレンズが液晶パネル側にＹ方向に沿って規則的に並列配置されてなるレンズ部、及びレンズ部と反対側の面であって、光透過部によって透過される光が入射する非レンズ面とを有するレンチキュラーシートを備えている。
【００３０】
そして、複数の光透過部のおのおのは、複数の単位凸シリンドリカルレンズのおのおのと１：１に対応しており、対応する単位凸シリンドリカルレンズの頂点から非レンズ面に対する垂線を含むように設けられ、複数の光反射部のおのおのは、非レンズ面に対して凸部を形成するように、かつ各単位凸シリンドリカルレンズの長手方向であるＸ方向に沿って配置され、非レンズ面からレンチキュラーシートに入射した光を、各単位凸シリンドリカルレンズによって制御して液晶パネルに供給する。更に、単位凸シリンドリカルレンズのＹ方向に沿った配置ピッチＰｙと、表示素子のＹ方向に沿った配置ピッチＧｙとを、ｎが３以上の整数であって、Ｐｙ／Ｇｙ＝１／（ｎ＋０．５）を除いたＰｙ／Ｇｙ≦１／（ｎ＋０．２１３）の関係が成立するようにしている。
【発明の効果】
【００３１】
本発明の表示装置によれば、液晶パネルと光源との間に、単位レンズが規則的に配置されたレンズシートを配置してなる場合であっても、モアレの発生を阻止し、もって、良好な画質を実現することが可能となる。
【発明を実施するための最良の形態】
【００３２】
以下に、本発明を実施するための最良の形態について図面を参照しながら説明する。
【００３３】
図１は、本発明の実施の形態に係る表示装置の一例を示す側面図である。
【００３４】
すなわち、本発明の実施の形態に係る表示装置は、ランプハウス２０内に収納されたシリンダ形状の複数の光源２１と、偏光板３１，３２に挟まれた液晶パネル３０と、各光源２１からの光Ｈを液晶パネル３０に供給する光学シート１０とを備えてなる。
【００３５】
液晶パネル３０は、図２の平面図に示すように、表示画像の表示パターンを画素単位で規定する複数の表示素子３０ａを、Ｘ方向に沿って配置ピッチＧｘで、Ｙ方向に沿って配置ピッチＧｙで規則的に配置してなる。好適には、配置ピッチＧｘ及び配置ピッチＧｙは等しい（Ｇｘ＝Ｇｙ）。
【００３６】
図３は、光学シート１０の構成例を示す斜視図である。
【００３７】
この光学シート１０は、入射面１１から入射した光Ｈを、非入射面側である出射面１２側に散乱する光散乱層１３を備えている。この光散乱層１３としては、当該技術分野で良く知られているように、ポリカーボネート、ポリスチレン、又はＭＳ樹脂のような透明性の樹脂や、フィラー（ｆｉｌｌｅｒ）を含むものや、出射面１２側をマット状に処理している。フィラーの粒径等については、例えば特許第３３８１５７０号公報（特許文献２）に記載されている。また、出射面１２側に一方の面が設けられ、光散乱層１３によって散乱された光を光散乱層１３側に反射する複数の光反射部１４を備えている。更に、隣接する２つの光反射部１４の間に設けられ、光散乱層１３によって散乱された光を非光散乱層側であるレンチキュラーシート１７に透過する例えば空気層からなる複数の光透過部１５を備えている。更にまた、複数の単位凸シリンドリカルレンズ１６が液晶パネル３０側に並列配置されてなるレンズ部と、レンズ部と反対側の面１９であって、光透過部１５によって透過される光が入射する非レンズ面１９とを有するレンチキュラーシート１７を備えている。
【００３８】
この複数の単位凸シリンドリカルレンズ１６は、例えばレンチキュラーレンズであり、レンチキュラーシート１７は、ＰＥＴ（ポリエチレンテレフタレート）、ＰＣ（ポリカーボネート）、ＰＭＭＡ（ポリメチルメタクリレート）、ＣＯＰ（シクロオレフィンポリマー）等を用いて、当該技術分野では良く知られている押し出し成型法、射出成型法、あるいは熱プレス成型法によって形成する。あるいは、ＰＥＴ（ポリエチレンテレフタレート）、ＰＰ（ポリプロピレン）、ＰＣ（ポリカーボネート）、ＰＭＭＡ（ポリメチルメタクリレート）、ＰＥ（ポリエチレン）等を基材として、その上に紫外線固化樹脂を配置する紫外線キュアリング成型法によって形成する。
【００３９】
複数の光透過部１５のおのおのは、複数の単位凸シリンドリカルレンズ１６のおのおのと１：１に対応しており、対応する単位凸シリンドリカルレンズ１６の頂点Ｔから非レンズ面１９に対する垂線Ｖを含むように設けられ、複数の光反射部１４のおのおのは、当該技術分野で良く知られている印刷法、転写法、あるいはフォトリソグラフィー法を用いて形成され、非レンズ面１９に対して凸部を形成するように、かつ各単位凸シリンドリカルレンズ１６の長手方向Ｘ（図１中における前後方向、及び図３中におけるＸ方向）に沿って配置される。接着層１８は、複数の光反射部１４と、光散乱層１３とを接着する。
【００４０】
これにより、図３に示す光学シート１０の斜視図、及び図４に示す光反射部１４の平面図に示すように、複数の単位凸シリンドリカルレンズ１６が並列配置される配置方向Ｙに沿って光反射部１４と光透過部１５とが交互にストライプ状に配置される。
【００４１】
このような構成をした光学シート１０によれば、例えば特開２００６−１０６１９７号公報（特許文献３）に記載されているように、光源２１からの光Ｈを光散乱層１３によって散乱させ、散乱角度が絞られた光のみを単位凸シリンドリカルレンズ１６に入射させることができるとともに、単位凸シリンドリカルレンズ１６に入射させることができなかった光については、無駄に出射させることなく再利用することができるので、光源２１からの光の利用効率を高めつつ、拡散範囲を制御して液晶パネル３０に供給することが可能となる。なお、液晶パネル３０から表示される画像のモアレ防止の観点から、単位凸シリンドリカルレンズ１６の配置方向であるＹ方向に沿った配置ピッチＰｙは、表示素子３０ａのＹ方向に沿った配置ピッチＧｙとの間に、Ｐｙ／Ｇｙ≦１／（ｎ＋０．２１３）という関係がある。ただし、Ｐｙ／Ｇｙ＝１／（ｎ＋０．５）の場合を除き、かつｎは３以上の整数である。
【００４２】
この理由について図５を用いて説明する。図５は、Ｘ軸にＰｙ／Ｇｙを、Ｙ軸にモアレ波長／Ｇｙを示している。図５から分かるように、Ｐｙ／Ｇｙの特異な値においてモアレが発生し、特に、Ｐｙ／Ｇｙ＝１の場合に、顕著で周期の大きなモアレが発生する。更に、Ｐｙ／Ｇｙ＝１／２，１／３，・・・の関係にある場合や、Ｐｙ／Ｇｙ＝１／（Ｎ＋０．５）の関係（Ｎは整数）にある場合にも周期の大きなモアレが生じ、逆に、Ｐｙ／Ｇｙ＝１／Ｎ及びＰｙ／Ｇｙ＝１／（Ｎ＋０．５）、又はＰｙ／Ｇｙ＝Ｎ及びＰｙ／Ｇｙ＝（Ｎ＋０．５）の関係から外れるとモアレは弱くなる。また、Ｎの値が大きくなるに従ってモアレの濃度は低くなり、Ｎが３以上になると、液晶パネル３０からは実用上問題のない画質の画像が得られる。一方、画像の解像度の点からは、表示素子３０ａの配置ピッチＧｙよりも、単位凸シリンドリカルレンズ１６の配置ピッチＰｙが小さければ小さい程好ましい。
【００４３】
ただし、Ｐｙ／Ｇｙ＝１／Ｎ及びＰｙ／Ｇｙ＝１／（Ｎ＋０．５）、又はＰｙ／Ｇｙ＝Ｎ及びＰｙ／Ｇｙ＝（Ｎ＋０．５）の関係から外れた場合であっても、各種実験により、例えばＰｙ／Ｇｙ＝１／（Ｎ＋１）の場合に強いモアレが発生し、無視できない画質の低下がもたらされることも確認されている。これらの結果を表１に示す。表１は、液晶パネル３０の表示画素３０ａの配置ピッチＧｙを４９０μｍ（１μｍ＝１×１０−６ｍ）に固定し、単位凸シリンドリカルレンズ１６の配置ピッチＰｙを変化させることによって得られる様々なＰｙ／Ｇｙにおいて、液晶パネル３０から表示された画像の画質の評価結果をまとめた表である。
【表１】
2008197291.tif 000003
【００４４】
表１から、単位凸シリンドリカルレンズ１６の配置ピッチＰｙが４９０×１．１＝５３９μｍのとき、及び４９０／１．１＝４４５．５μｍのときにモアレが最大となるため、当然ながら、４４５．５〜５３９μｍの範囲での配置ピッチＰｙの選定は好ましくないことが分かる。
【００４５】
また、Ｐｙ＝４０４μｍの場合とＰｙ＝２２６μｍの場合、前者では目立つモアレが発生せず、後者では目立つモアレの発生が確認された。前者ではＰｙ／Ｇｙ＝４０４／４９０＝１／１．２１３＝１／（１＋０．２１３）となり、後者ではＰｙ／Ｇｙ＝２２６／４９０＝１／２．１６８＝１／（２＋０．１６８）となることから、モアレの発生が確認されなくなる値は、分母の小数点以下が０．１６８〜０．２１３の範囲に存在すると推測される。
【００４６】
以上のことから、本発明の実施の形態に係る表示装置では、Ｐｙ／Ｇｙ＜１／ｎ（ただし、ｎは３以上の整数）であるものの、１／（ｎ＋０．２１３）＜Ｐｙ／Ｇｙ＜１／ｎ、及びＰｙ／Ｇｙ＝１／（ｎ＋０．５）を除外した範囲とする。表１では、ｎ＝３の場合、条件（１）が、Ｐｙ／Ｇｙ＜１／ｎに該当し、条件（２）が、１／（ｎ＋０．２１３）＜Ｐｙ／Ｇｙ＜１／ｎに該当し、条件（３）が、Ｐｙ／Ｇｙ＝１／（ｎ＋０．５）に該当する。そして、条件（４）が、本発明の実施の形態に係る表示装置におけるＰｙ／Ｇｙの範囲に含まれる。つまり、本発明の実施の形態に係る表示装置では、ｎが３以上の整数であり、Ｐｙ／Ｇｙ＝１／（ｎ＋０．５）を除いたＰｙ／Ｇｙ≦１／（ｎ＋０．２１３）の範囲となるように、配置ピッチＰｙ及び配置ピッチＧｙを設定する。表１に示すように、条件（２）及び条件（３）では、液晶パネル３０から表示された画像において目立つモアレが発生するという結果が得られたが、条件（４）では、液晶パネル３０から表示された画像は、目立つモアレは発生せず、実用上問題のない良好な画質の画像が得られた。
【００４７】
上述したように、本発明の実施の形態に係る表示装置においては、液晶パネル３０と光源２１との間に、複数の単位凸シリンドリカルレンズ１６が規則的に配置された光学シート１０を配置してなる場合であっても、モアレの発生を阻止し、もって、良好な画質を実現することができる。
【００４８】
その結果、液晶パネル３０の表示素子３０ａに入射する光量を選択的に多くするとともに、表示光の視域を制御しながら、かつモアレが発生することなく、良好な画質を実現することが可能となる。
【００４９】
また、図６（ａ）〜（ｃ）に、液晶パネル３０用のカラーフィルタの画素配列の各種タイプに示す。高い精細度が要求される情報機器用の場合には、図６（ａ）に示すようなストライプ配列が好適に用いられる。この場合、Ｒ及びＧ用の着色フィルタ層部分１２０Ｒａ及び１２０Ｇａの下には、Ｙの干渉フィルタ層部分１１０Ｙａが設けられる。
【００５０】
一方、Ｂ用の着色フィルタ層部分１２０Ｂの一例であるストライプ状のＢ用の着色フィルタ層部分１２０Ｂａの下には、Ｙの干渉フィルタ層部分１１０Ｙａが設けられていない。
【００５１】
また、精細度が余り要求されない動画像のカラー表示に本発明のカラーフィルタを用いる場合には、図６（ｂ）に示すようなモザイク（ダイアゴナル）配列や、図６（ｃ）に示すようなデルタ（トライアングル）配列が好適に用いられる。
【００５２】
図６（ｂ）に示すモザイク配列の場合、モザイク状のＲ及びＧ用の着色フィルタ層部分１２０Ｒｂ及び１２０Ｇｂの下には、Ｙの干渉フィルタ層部分１１０Ｙｂが設けられ、Ｂ用の着色フィルタ層部分１２０Ｂの一例であるモザイク状のＢ用の着色フィルタ層部分１２０Ｂｂの下には、Ｙの干渉フィルタ層部分１１０Ｙｂが設けられていない。
【００５３】
また、図６（ｃ）に示すデルタ配列の場合、デルタ状のＲ及びＧ用の着色フィルタ層部分１２０Ｒｃ及び１２０Ｇｃの下には、Ｙの干渉フィルタ層部分１１０Ｙｃが設けられており、Ｂ用の着色フィルタ層部分１２０Ｂの一例であるデルタ状のＢ用の着色フィルタ層部分１２０Ｂｃの下には、Ｙの干渉フィルタ層部分１１０Ｙｃが設けられていない。
【００５４】
図７は、図６（ａ）のストライプ配列の変形例であり、図中上下方向にストライプを分割し、図中左右方向に隣り合う分割されたＲ，Ｇ，Ｂの１セットで１つの画素４０を表現する方式を示す拡大写真である。
【００５５】
図７から明らかな様に、ストライプを上下方向に分割する境界幅が広いと、太く黒い影の様に画素４０の枠が有する周期性として、最も鮮明に視覚されることになり、液晶パネル３０の背面（光源２１側）に配置される光学シート１０が有する単位シリンドリカルレンズ１６が有する周期性との間で生じるモアレの発生が顕著になることが容易に推測される。
【００５６】
カラーフィルタが、図７に示す画素配列である場合、光学シート１０との間で生じる上下方向の周期性に起因するモアレの発生が大きくなるが、光学シート１０の単位シリンドリカルレンズ１６のピッチＰｙの制御だけでなく、単位シリンドリカルレンズ１６の境界線（稜線）が目立たない様に、単位シリンドリカルレンズ１６の境界の谷部を非鋭角的にすることも、モアレ解消の上では有効である。
【００５７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５８】
【図１】本発明の実施の形態に係るバックライトユニットの一例を示す側面図。
【図２】液晶パネルにおける表示素子配置の一例を示す平面図。
【図３】光学シートの構成例を示す斜視図。
【図４】光反射部の配置例を示す平面図。
【図５】ピッチ比とモアレ波長との関係を示す特性図。
【図６】液晶パネル用のカラーフィルタの画素配列タイプを示す概念図。
【図７】図６（ａ）のストライプ配列の変形例を示す概念図。
【図８】従来技術による液晶表示装置の構成例を示す説明図。
【図９】従来技術による液晶表示装置の構成例を示す説明図。
【図１０】従来技術による液晶表示装置の構成例を示す説明図。
【符号の説明】
【００５９】
１０…光学シート、１１…入射面、１２…出射面、１３…光散乱層、１４…光反射部、１５…光透過部、１６…単位凸シリンドリカルレンズ、１７…レンチキュラーシート、１８…接着層、１９…非レンズ面、２０…ランプハウス、２１…光源、３０…液晶パネル、３０ａ…表示素子、３１，３２…偏光板、４０…画素、５１…光源、５２…リフレクター、７１，７３…偏光板、７２…液晶パネル、７４，７５…プリズムフィルム、７６…光源ランプ、７７…反射フィルム、７８…拡散フィルム、７９…導光板、８１…ランプリフレクター、８２…拡散フィルム
【図１】
2008197291.tif 000004
【図２】
2008197291.tif 000005
【図３】
2008197291.tif 000006
【図４】
2008197291.tif 000007
【図５】
2008197291.tif 000008
【図６】
2008197291.tif 000009
【図７】
2008197291.tif 000010
【図８】
2008197291.tif 000011
【図９】
2008197291.tif 000012
【図１０】
2008197291.tif 000013